(57)【要約】【課題】キャビネットの内部に設けてある制御基板と駆動部の内部に設けてある制御基板との接続を軽量な配線基板を介して行い、接続時間の短縮を図り、両制御基板の接続作業における作業者への負担を軽減することができる表示装置を提供する。【解決手段】リヤキャビネット７の背面に開口７ｃを設けて、該開口７ｃ内にコネクタを備える配線基板10を配置し、該配線基板10のコネクタに表示パネル２の駆動を制御する制御基板８と駆動部20の駆動を制御する制御基板26とを接続する構成とした。【選択図】図１
2010210787.tif 000002
【特許請求の範囲】
【請求項１】
映像を表示する表示部と、該表示部を覆うキャビネットと、該キャビネット内に設けてあり、前記表示部の駆動を制御する第１制御基板と、前記キャビネットに設けてあり、情報記録媒体に対する読込及び／又は書込を行う駆動部と、該駆動部内に設けてあり、該駆動部の駆動を制御する第２制御基板とを備える表示装置において、
複数の端子を接続する配線基板を備え、
該配線基板と前記第１制御基板及び第２制御基板とを接続してあること
を特徴とする表示装置。
【請求項２】
前記キャビネットに設けてある開口と、
該開口内に位置しており、前記配線基板を載置するための載置板と、
該載置板に対向しており、前記載置板に載置された前記配線基板を保持する保持部材と、
該保持部材から前記載置板へ向けて突出しており、前記配線基板の移動を規制する規制部とを備え、
前記保持部材は可撓性を有すること
を特徴とする請求項１に記載の表示装置。
【請求項３】
前記配線基板は前記第２制御基板に支持してあり、
前記キャビネットに開口が設けてあり、
該開口の内側に前記配線基板が配置してあること
を特徴とする請求項１に記載の表示装置。
【請求項４】
前記配線基板は一面に電極部を備え、
前記第２制御基板は前記電極部に接触する接触部を備え、
前記キャビネットに開口が設けてあり、
該開口の縁に前記配線基板を支持する支持部が設けてあり、
前記配線基板は他面を前記支持部にて支持してあり、
前記支持部と前記配線基板との間に弾性部材を設けてあること
を特徴とする請求項１に記載の表示装置。
【請求項５】
前記配線基板は電極部を備え、
前記第２制御基板に弾性部材を介して前記電極部に接触する接触部が設けてあり、
前記キャビネットに開口が設けてあり、
該開口の縁に前記配線基板を支持する支持部が設けてあること
を特徴とする請求項１に記載の表示装置。
【発明の詳細な説明】
【技術分野】
【０００１】
本発明は、情報記録媒体に対する読込及び／又は書込を行う駆動部を備える表示装置に関する。
【背景技術】
【０００２】
情報記録媒体に対する読込及び／又は書込を行う駆動装置と映像を表示する表示装置とを室内に設置し、駆動装置にて読込んだ映像データを表示装置に表示して映像を視聴することが従来行われている。
【０００３】
一般に駆動装置は表示装置の周囲に設置され、駆動装置と表示装置とはコード又はケーブル等によって接続されるが、表示装置の周囲に駆動装置及びコード等が配置されることで、表示装置周りは乱雑になり、表示装置周りの意匠性は悪化する。
【０００４】
特許文献１には、情報記録媒体に対する読込及び／又は書込を行う駆動部を背面に設けた表示装置が開示されている。該表示装置の駆動部は視認され難い表示装置の背面に配置され、また接続のためのコード等は不要であるため、表示装置周りに余分な物体が視認されず、表示装置周りの意匠性が向上する。
【先行技術文献】
【特許文献】
【０００５】
【特許文献１】特開２００８−１９８２４６号公報
【発明の概要】
【発明が解決しようとする課題】
【０００６】
駆動部を備える表示装置は、表示装置本体から駆動部への電力供給及び駆動部から表示装置本体への映像データの出力等を行うために、駆動部の内部に設けてある制御基板と表示装置本体の内部に設けてある制御基板とを電気的に接続する必要がある。両制御基板には複数の入出力端子が設けてあり、複数の導線を使用して両制御基板を接続することが考えられる。しかし両制御基板は表示装置本体及び駆動部の内部に固定されており、大重量の表示装置本体及び駆動部を近接させて導線の接続を行う必要があるので、作業者への負担は大きく、接続には長時間を要する。
【０００７】
本発明は斯かる事情に鑑みてなされたものであり、その目的とするところは、表示装置本体の内部に設けてある基板と駆動部の内部に設けてある基板との接続を短時間で行うことができ、接続作業における作業者への負担を軽減することができる表示装置を提供することにある。
【課題を解決するための手段】
【０００８】
本発明に係る表示装置は、映像を表示する表示部と、該表示部を覆うキャビネットと、該キャビネット内に設けてあり、前記表示部の駆動を制御する第１制御基板と、前記キャビネットに設けてあり、情報記録媒体に対する読込及び／又は書込を行う駆動部と、該駆動部内に設けてあり、該駆動部の駆動を制御する第２制御基板とを備える表示装置において、複数の端子を接続する配線基板を備え、該配線基板と前記第１制御基板及び第２制御基板とを接続してあることを特徴とする。
【０００９】
本発明においては、複数の端子を接続する軽量の配線基板をキャビネット内に設けてある第１制御基板及び駆動部内に設けてある第２制御基板に接近させて接続し、第１制御基板と第２制御基板との接続を短時間で行い、接続作業における作業者への負担を軽減する。
【００１０】
本発明に係る表示装置は、前記キャビネットに設けてある開口と、該開口内に位置しており、前記配線基板を載置するための載置板と、該載置板に対向しており、前記載置板に載置された前記配線基板を保持する保持部材と、該保持部材から前記載置板へ向けて突出しており、前記配線基板の移動を規制する規制部とを備え、前記保持部材は可撓性を有することを特徴とする。
【００１１】
本発明においては、作業者は、第１制御基板を接続した配線基板を、前記キャビネットの開口内に位置する載置板に仮置きし、保持部材にて保持する。このとき保持部材から突出した規制部が、配線基板が載置板から外れることを阻止する。次に作業者は、第２制御基板を配線基板に接続し、配線基板を載置板上にて摺動させて、規制部に当接させる。配線基板の規制部への当接によって保持部材は撓み、配線基板の保持が解除され、配線基板は前記開口内の空間に配置される。このため駆動部の駆動によって第２制御基板が振動した場合に、第２制御基板の振動に応じて配線基板は開口内の空間にて揺動し、配線基板と第１制御基板及び第２制御基板との接続が確保される。
【００１２】
本発明に係る表示装置は、前記配線基板は前記第２制御基板に支持してあり、前記キャビネットに開口が設けてあり、該開口の内側に前記配線基板が配置してあることを特徴とする。
【００１３】
本発明においては、駆動部の駆動によって第２制御基板が振動した場合に、第２制御基板の振動に合わせて配線基板は開口内にて揺動し、配線基板と第１制御基板及び第２制御基板との接続が確保される。
【００１４】
本発明に係る表示装置は、前記配線基板は一面に電極部を備え、前記第２制御基板は前記電極部に接触する接触部を備え、前記キャビネットに開口が設けてあり、該開口の縁に前記配線基板を支持する支持部が設けてあり、前記配線基板は他面を前記支持部にて支持してあり、前記支持部と前記配線基板との間に弾性部材を設けてあることを特徴とする。
【００１５】
本発明においては、前記支持部と前記配線基板との間に弾性部材を設けてあるので、駆動部の駆動によって第２制御基板が振動した場合に、第２制御基板の振動を弾性部材の伸縮によって吸収し、電極部と接触部との離反を防ぐ。
【００１６】
本発明に係る表示装置は、前記配線基板は電極部を備え、前記第２制御基板に弾性部材を介して前記電極部に接触する接触部が設けてあり、前記キャビネットに開口が設けてあり、該開口の縁に前記配線基板を支持する支持部が設けてあることを特徴とする。
【００１７】
本発明においては、第２制御基板に弾性部材を介して接触部が設けてあるので、配線基板の電極部と接触部とは密着し、駆動部の駆動によって第２制御基板が振動した場合に、第２制御基板の振動を弾性部材の伸縮によって吸収し、電極部と接触部との離反を防ぐ。
【発明の効果】
【００１８】
本発明に係る表示装置にあっては、キャビネットの内部に設けてある第１制御基板と駆動部の内部に設けてある第２制御基板との接続を軽量な配線基板を介して行うので、接続時間を短縮することができ、また接続作業における作業者への負担を軽減することができる。
【図面の簡単な説明】
【００１９】
【図１】駆動部を分離した実施の形態１に係る表示装置を略示する縦断面図である。
【図２】駆動部及び配線基板を取り外した実施の形態１に係る表示装置を背面側から見た斜視図である。
【図３】実施の形態１に係る表示装置の配線基板を示す背面図である。
【図４】図３中のＩＶ矢印で示す方向から見た配線基板の側面図である。
【図５】図３中のＶ−Ｖ線における配線基板の断面図である。
【図６】実施の形態１に係る表示装置におけるリヤキャビネットへの駆動部の取り付け工程を説明する説明図である。
【図７】実施の形態１に係る表示装置におけるリヤキャビネットへの駆動部の取り付け工程を説明する説明図である。
【図８】実施の形態１に係る表示装置におけるリヤキャビネットへの駆動部の取り付け工程を説明する説明図である。
【図９】駆動部をリヤキャビネットに取り付けた実施の形態１に係る表示装置の斜視図である。
【図１０】実施の形態２に係る表示装置の配線基板付近の構成を示す横断面図である。
【発明を実施するための形態】
【００２０】
以下本発明を実施の形態１に係る表示装置を示す図面に基づいて詳述する。図１は駆動部を分離した表示装置を略示する縦断面図、図２は駆動部及び配線基板を取り外した表示装置を背面側から見た斜視図である。図において１は、矩形枠状のフロントキャビネット１であり、表示パネル２がフロントキャビネット１の内側に配設してある。該表示パネル２の後側に、光を拡散する光学シート３が設けてある。該光学シート３の後側に、箱形のバックライトシャーシ４が設けてあり、該バックライトシャーシ４の正面に光を反射する反射シート５が設けてある。前記光学シート３と反射シート５との間に複数のバックライト６が配設してある。該バックライト６の光が光学シート３を透過して表示パネル２に照射され、映像が表示される。
【００２１】
前記バックライトシャーシ４の後側には、フロントキャビネット１に対応する箱形のリヤキャビネット７が設けてあり、該リヤキャビネット７とバックライトシャーシ４との間に、前記表示パネル２の動作を制御する制御基板８が配してある。該制御基板８は、制御基板８の複数の端子にＦＰＣ(Flexible Printed Circuits)９を接続するためのＦＰＣコネクタ８ａを備えており、該ＦＰＣコネクタ８ａにはＦＰＣ９の一端部が接続してある。リヤキャビネット７の背面には、図２に示すように、一側を開放した矩形の凹部７ａが形成してあり、該凹部７ａの底面の四隅には、雌ねじを形成したねじ孔７ｂが設けてある。図２に示すように、凹部７ａの底面の一部に矩形の開口７ｃが設けてあり、該開口７ｃには複数の端子を接続する配線基板10が配される。
【００２２】
前記凹部７ａには、ブルーレイディスクに対する読込及び／又は書込を行う駆動部20が設けられている。駆動部20は、情報記録媒体を駆動するディスクドライブユニット21と、該ディスクドライブユニット21の後部を覆うカバー22と、該カバー22にディスクドライブユニット21を取り付ける２つの取付金具23、23とを備えている。ディスクドライブユニット21は扁平な直方体形状をなし、ブルーレイディスクに対する読込み及び書込みをレーザ等により高精度に行うピックアップ部（図示せず）を内部に備える。
【００２３】
取付金具23は、細長い矩形板部23ａと、該矩形板部23ａの一側の長辺の一部から矩形板部23ａに直交する方向に突設された固定板部23ｂとを備えている。これら矩形板部23ａ及び固定板部23ｂにはそれぞれ貫通孔が設けられている。固定板部23ｂの貫通孔には弾性を有する筒形のブッシュ24が取り付けてある。２つの取付金具23は、ディスクドライブユニット21の対向する２側面に固定板部23ｂが外向きに突設されるように矩形板部23ａを当接させて、矩形板部23ａの貫通孔に挿通させた小ねじをディスクドライブユニット21に設けられた雌ねじに螺合させて、それぞれディスクドライブユニット21に取り付けてある。
【００２４】
カバー22は深皿形をなしている。カバー22の内側の周壁近傍には、カバー22の底面から突出した複数のボス部22ａが設けてある。取付金具23が取り付けられたディスクドライブユニット21は、頭部にフランジを有するねじ50を前記ブッシュ24に挿通させて、ボス部22ａに設けられた雌ねじに螺合させることによりカバー22と一体化してある。前記ボス部22ａの隣には、カバー22をリヤキャビネット７に固定するねじを挿通する四つの固定ボス25が設けてある。該固定ボス25は前述した凹部７ａに設けたねじ孔７ｂに対応している。なおカバー22の上下寸法及び左右寸法は凹部７ａの上下寸法及び左右寸法と略同じである。
【００２５】
ディスクドライブユニット21の内部には、ディスクドライブユニット21の駆動を制御する制御基板26が設けてある。該制御基板26には、制御基板26の複数の端子に他の端子を接続するための前側へ突出した雄型コネクタ27が設けてある。ディスクドライブユニット21の前部には制御基板26にを挿通する挿通穴28が設けてある。該挿通穴28を通って前方へ突出した雄型コネクタ27は前記配線基板10に接続される。
【００２６】
図３は配線基板10を示す背面図、図４は図３中のＩＶ矢印で示す方向から見た配線基板10の側面図、図５は図３中のＶ−Ｖ線における配線基板10の断面図である。図３に示すように、対向する開口７ｃの２隅に載置板71がそれぞれ連なっており、載置板71は開口７ｃの内側へ延出している。図４に示すように、載置板71は開口７ｃの縁よりもやや前側に位置している。図３に示すように、両載置板71が連なる開口７ｃの一縁から可撓性を有する２つの保持杆72、72が延出している。該保持杆72は前記開口７ｃの一縁に直角であり、載置板71に対向している。保持杆72の延出端部は、図５に示すように、載置板71へ向けて突出しており、配線基板10の移動を規制する規制部72ａになっている。保持杆72の基端側に面した規制部72ａの側面は傾斜面になっており、該傾斜面と保持杆72の杆部分とによって形成された角度は鈍角となっている。
【００２７】
２つの載置板71、71の間を渡すように、矩形の配線基板10が載置板71に載置してある。配線基板10は前記保持杆72と載置板71との間で保持されている。配線基板10は、前記雄型コネクタ27に対応する雌型コネクタ11と、前記ＦＰＣ９が接続されるＦＰＣコネクタ12とを備える。雌型コネクタ11は配線基板10の中央部に位置しており、後方へ突出している。ＦＰＣコネクタ12は雌型コネクタ11の隣に位置している。
【００２８】
リヤキャビネット７に駆動部20を取り付ける場合には、配線基板10のＦＰＣコネクタ12に、一端部をＦＰＣコネクタ８ａに接続したＦＰＣ９の他端部を接続し、配線基板10を載置板71に載置して、制御基板26の雄型コネクタ27を配線基板10の雌型コネクタ11に接続する。図６〜図８はリヤキャビネット７への駆動部20の取り付け工程を説明する説明図、図９は駆動部20をリヤキャビネット７に取り付けた表示装置の斜視図である。
【００２９】
前述したようにＦＰＣ９の他端部を接続した配線基板10は、載置板71に載置され保持杆72によって保持される。このとき配線基板10は規制部72ａによって移動が規制され、載置板71から落下しない。作業者はリヤキャビネット７の凹部７ａの開放した一側寄りに駆動部20を配置し、図６の白抜矢符で示すように、駆動部20をリヤキャビネット７に後側から接近させて、前記駆動部20の制御基板26から前側へ突出した雄型コネクタ27を配線基板10の雌型コネクタ11に接続する。このとき駆動部20は凹部７ａの内側に位置する。次に作業者は、凹部７ａの上下壁をガイドとして、図７の白抜矢符で示すように、凹部７ａの開放した一側に対向する他側へ向けて駆動部20を摺動させる。このとき配線基板10は前記規制部72ａの傾斜面に当接し、保持杆72は後側へ撓むので、保持杆72による配線基板10の保持が解除され、配線基板10は載置板71から外れ、開口７ｃ内の空間に配置される。作業者は更に駆動部20を摺動させて、図８に示すように、駆動部20のカバー22内に設けてある固定ボス25の位置とリヤキャビネット７に設けてあるねじ孔７ｂの位置とを整合させる。そして作業者は、図９に示すように、カバー22に設けてある固定ボス25にねじ51を挿入してねじ孔７ｂに螺合させて、駆動部20をリヤキャビネット７に固定する。
【００３０】
実施の形態１に係る表示装置にあっては、複数の端子を接続する軽量の配線基板10をリヤキャビネット７内に設けてある制御基板８及び駆動部20内に設けてある制御基板26に接近させて接続し、制御基板８と制御基板26との接続を短時間で行い、接続作業における作業者への負担を軽減する。
【００３１】
また作業者は、制御基板８を接続した配線基板10を、リヤキャビネット７の開口７ｃの一部に設けた載置板71に仮置きし、保持部材にて保持する。このとき保持杆72から突出した規制部72ａが、配線基板10が載置板71から外れることを阻止する。作業者は、制御基板26を配線基板10に接続し、配線基板10を載置板71上にて摺動させて、規制部72ａに当接させる。配線基板10の規制部72ａへの当接によって保持杆72は撓み、配線基板10の保持が解除され、配線基板10は前記開口７ｃ内の空間に配置される。このため駆動部20の駆動によって制御基板26が振動した場合に、制御基板26の振動に応じて配線基板10は開口７ｃ内の空間にて揺動し、配線基板10と制御基板８及び制御基板26との接続が確保される。またコネクタを介して制御基板８と制御基板26とを接続することで、両制御基板を短時間で確実に接続することができ、接続作業の信頼性を向上させることができる。
【００３２】
実施の形態１に係る表示装置の駆動部20はリヤキャビネット７の背面に設けてあるが、リヤキャビネット７の側面に取り付けても良い。また実施の形態１に係る表示装置の駆動部20は、ブルーレイディスクに対する読込及び／又は書込を行うが、ＤＶＤ、ハードディスク等の他の情報記録媒体に対する読込及び／又は書込を行う構成であっても良い。また制御基板26に雄型コネクタ27が設けてあり、配線基板10は雌型コネクタ11を備えているが、コネクタの雄型及び雌型は逆であっても良い。
【００３３】
（実施の形態２）
以下本発明を実施の形態２に係る表示装置を示す図面に基づいて詳述する。図１０は配線基板10付近の構成を示す横断面図である。
【００３４】
リヤキャビネット７に配線基板10と略同寸の開口７ｄが設けてある。該開口７ｄの縁には、配線基板10を支持する支持板73が一体的に設けてあり、該支持板73は、図１０に示すように、リヤキャビネット７よりもやや前側に位置している。支持板73から開口７ｄの縁に亘って弾性部材60が貼付してあり、配線基板10は該弾性部材60を介して支持板73にて支持されている。支持板73に対向するようにリヤキャビネット７に複数の爪部61が設けられており、配線基板10は、弾性部材60の弾性力によって爪部61と支持板73との間で保持されている。
【００３５】
配線基板10はＦＰＣコネクタ13と、複数の電極部14とを備えている。ＦＰＣコネクタ13は配線基板10の前面に配置してあり、ＦＰＣコネクタ13にＦＰＣ９の一端部が接続してある。ＦＰＣ９の他端部は、リヤキャビネット７内の制御基板８に設けてあるＦＰＣコネクタ８ａに接続してある。電極部14は配線基板10の後面に並設してある。
【００３６】
リヤキャビネット７の背面に駆動部20が取り付けてある。駆動部20の内部に設けてある制御基板26は、配線基板10に接続する接続部29を備えている。接続部29は電極部14に接触する接片29ａを複数備えており、該接片29ａは板ばね29ｂを介して接続部29内に支持されている。板ばね29ｂの弾性力によって接片29ａは電極部14に押圧される。
【００３７】
実施の形態２に係る表示装置にあっては、支持板73と配線基板10との間に弾性部材60を設けてあり、また板ばね29ｂを介して接片29ａが設けてあるので、駆動部20の駆動によって制御基板26が振動した場合に、制御基板26の振動は弾性部材60及び板ばね29ｂの伸縮によって吸収され、電極部14と接片29ａとの離反を防ぐことができる。
【００３８】
なお実施の形態２に係る表示装置は弾性部材60及び板ばね29ｂを備えているが、いずれか一方のみを備える構成であっても良い。
【００３９】
実施の形態２に係る表示装置の構成の内、実施の形態１と同様な構成については同じ符号を付し、その詳細な説明を省略する。
【符号の説明】
【００４０】
２  表示パネル（表示部）
７  リヤキャビネット（キャビネット）
７ａ  凹部
７ｃ 、７ｄ  開口
８  制御基板（第１制御基板）
10  配線基板
14  電極部
20  駆動部
26  制御基板（第２制御基板）
29ａ  接片（接触部）
29ｂ  板ばね（弾性部材）
60  弾性部材
71  載置板
72  保持杆（保持部材）
72ａ  規制部
73  支持板（支持部）
【図１】
2010210787.tif 000003
【図２】
2010210787.tif 000004
【図３】
2010210787.tif 000005
【図４】
2010210787.tif 000006
【図５】
2010210787.tif 000007
【図６】
2010210787.tif 000008
【図７】
2010210787.tif 000009
【図８】
2010210787.tif 000010
【図９】
2010210787.tif 000011
【図１０】
2010210787.tif 000012